(57)【要約】      （修正有）【課題】日付を変えた後に、印影がかすれることがない回転印を提供する。【解決手段】回転可能に配設された回転子１２とその下端との間に、外表面に複数の印字が形成された無端印字ベルト１５を巻き掛けた回転印本体１０を有する回転印５１において、無端印字ベルト１５の側方に、インキを吸蔵させたインキ吸蔵ローラ２５を回転可能に設ける。把持筒１を上方に引き上げると、インキ吸蔵ローラ２５が無端印字ベルト１５の印字ブロック１５ａと当接し、印字ブロック１５ａにインキが供給され、ユーザーが無端印字ベルト１５の印字ブロック１５ａを切り替えたとしても、新しく出現した印字ブロック１５ａで押印された印影がかすれることがない。【選択図】図３
2010228194.tif 000002
【特許請求の範囲】
【請求項１】
回転可能に配設された回転子とその下端との間に、外表面に複数の印字が形成された無端印字ベルトを巻き掛けた回転印本体と、
前記回転印本体の下部の外周に配設された筒状の固定印支持部材と、
前記固定印支持部材の下端に取り付けられ、前記無端印字ベルトの下端にある印字を出没させる窓穴が形成された固定印とを有する回転印において、
前記固定印支持部材の内面に、前記無端印字ベルトの印字に側方から当接するインキ供給部材を設けたことを特徴とする回転印。
【請求項２】
回転印本体を被套し、回転印本体に上下にスライド自在に配設された把持筒を有し、
常時は、インキ供給部材は、無端印字ベルトの印字とは当接していないが、前記把持筒のスライド操作により、前記インキ供給部材が、前記無端印字ベルトの印字と当接するように構成したことを特徴とする請求項１に記載の回転印。
【請求項３】
インキ供給部材は、ローラ形状であり、
前記インキ供給部材は、固定印支持部材に回転可能に取り付けられていることを特徴とする請求項２に記載の回転印。
【発明の詳細な説明】
【技術分野】
【０００１】
本発明は、日付等を切り替えて押印することができる回転印に関する。
【背景技術】
【０００２】
従来から、特許文献１や特許文献２に示されるように、複数の無端印字ベルトを有し、キャップの底部にインキ吸蔵体を設けた、日付等を切り替えて押印するためのキャップ付回転印が知られている。このようなキャップ付回転印は、収納時には無端印字ベルトの印字面がキャップにより被覆されて、服や文房具等が印字面で汚れることがなく、また、収納時にキャップの底部に設けられたインキ吸蔵体から無端印字ベルトの印字面にインキが供給されることから、押印時に印字面を朱肉やスタンプ台に押し当てる必要がなく便利である。
【先行技術文献】
【特許文献】
【０００３】
【特許文献１】特開２００５−２９７５７４号公報
【特許文献２】特開平８−２３８８３２号公報
【発明の概要】
【発明が解決しようとする課題】
【０００４】
ところで、１日の最初に前記回転印を押印する際には、無端印字ベルトを回転させて、日付を切り替える必要があるが、新しく出現した無端印字ベルトの印字は、収納時にインキ吸蔵体と接触していないことから、インキが十分に付着していない場合があり、そのまま押印すると、新しく出現した印字で押印した印影がかすれてしまうという問題があった。これを防止するためには、ユーザーは再び、キャップを被せて、無端印字ベルトの印字をインキ吸蔵体に接触させる必要があり、煩雑な作業を強いられていた。本発明は、上記問題を解決し、日付を変えた後に、印影がかすれることがない回転印を提供することを目的とする。
【課題を解決するための手段】
【０００５】
上記課題を解決するためになされた請求項１に記載の発明は、
回転可能に配設された回転子とその下端との間に、外表面に複数の印字が形成された無端印字ベルトを巻き掛けた回転印本体と、
前記回転印本体の下部の外周に配設された筒状の固定印支持部材と、
前記固定印支持部材の下端に取り付けられ、前記無端印字ベルトの下端にある印字を出没させる窓穴が形成された固定印とを有する回転印において、
前記固定印支持部材の内面に、前記無端印字ベルトの印字に側方から当接するインキ供給部材を設けたことを特徴とする。
【０００６】
請求項２に記載の発明は、回転印本体を被套し、回転印本体に上下にスライド自在に配設された把持筒を有し、
常時は、インキ供給部材は、無端印字ベルトの印字とは当接していないが、前記把持筒のスライド操作により、前記インキ供給部材が、前記無端印字ベルトの印字と当接するように構成したことを特徴とする。
【０００７】
請求項３に記載の発明は、請求項２に記載の発明において、
インキ供給部材は、ローラ形状であり、
前記インキ供給部材は、固定印支持部材に回転可能に取り付けられていることを特徴とする。
【発明の効果】
【０００８】
請求項１に記載の発明は、固定印支持部材の内面に、無端印字ベルトの印字に側方から当接するインキ供給部材を設けたことを特徴とする。
このため、ユーザーが無端印字ベルトの印字を切り替えたとしても、前記インキ供給部材からインキが無端印字ベルトの印字に供給されることから、新しく出現した無端印字ベルトの印字で押印された印影がかすれることがない。
【０００９】
請求項２に記載の発明は、請求項１に記載の発明において、回転印本体を被套し、回転印本体に上下にスライド自在に配設された把持筒を有し、常時は、インキ供給部材は、無端印字ベルトの印字とは当接していないが、前記把持筒のスライド操作により、前記インキ供給部材が、前記無端印字ベルトの印字と当接するように構成したことを特徴とする。
このため、無端印字ベルトの印字が、インキにより膨潤し、変形することがない。
【００１０】
請求項３に記載の発明は、請求項２に記載の発明において、インキ供給部材は、ローラ形状であり、前記インキ供給部材は、固定印支持部材に回転可能に取り付けられていることを特徴とする。
このため、前記ローラ形状のインキ供給部材が無端印字ベルトの印字に当接する際に、インキ供給部材が回転し、無端印字ベルトの印字に負担がかからず、無端印字ベルトの印字の破損を防止することが可能となる。
【図面の簡単な説明】
【００１１】
【図１】本発明の実施の形態を示す回転印の全体斜視図である。
【図２】図１の断面図である。（閉じた状態）
【図３】図１の断面図である。（開いた状態）
【図４】開いた状態の斜視図である。
【図５】要部斜視図である。
【図６】第２の実施形態の回転印の断面図である。（閉じた状態）
【図７】第２の実施形態の回転印の断面図である。（開いた状態）
【発明を実施するための形態】
【００１２】
（第１の実施形態）
以下に図面を参照しつつ、本発明の好ましい実施の形態を示す。本発明の回転印５１は主に、筒状の把持筒１と、把持筒１の内部に被套された回転印本体１０と、固定印本体１０の外周に配設された固定枠部材１６と、固定枠部材１６の下端に取り付けられた固定印支持部材２０、固定印支持部材２０の下端に取り付けられた固定印１９と、回転印本体１０の印字部及び固定印１９を被覆するキャップ２とから構成されている。
【００１３】
回転印本体１０は、枠状部材１１、回転子１２、支持部材１３、シャフト１４、無端印字ベルト１５、リューズ２２、２３、係合筒２４とから構成されている。枠状部材１１は、断面形状”コ”字形状で、下側に開放した形状である。枠状部材１１の内部に、複数の回転子１２が、同軸に軸着している。回転子１２は、操作円盤１２ａと、この操作円盤１２ａよりも外径の小さい係合筒１２ｂが同軸に、一体となって形成されている。また、回転子１２の両側には、係合筒２４が枠状部材１１に軸着している。図に示される実施形態では、係合筒１２ｂ及び係合筒２４にシャフト１４が挿通し、シャフト１４が枠状部材１１に取り付けられて、複数の回転子１２が枠状部材１１に回転可能に取り付けられている。枠状部材１１の下端には、断面形状”コ”字形状で、上側に開放した支持部材１３が取り付けられている。
【００１４】
それぞれの係合筒１２ｂ、２４及び、支持部材１３の下端には、複数の無端印字ベルト１５が巻き掛けられている。無端印字ベルト１５の外表面には、長さ方向に沿って、所定の間隔をおいて、複数の印字ブロック１５ａが突設されている。印字ブロック１５ａの表面には、数字や文字等の印字が形成されている。印字ブロック１５ａの印字部分は、多孔質になっていて、微量のインキが吸蔵されるようになっている。無端印字ベルト１５の裏面と、回転子１２の係合筒１２ｂとは係合していて、ユーザーが、指等で操作円盤１２ａを回転させると、係合筒１２ｂと係合している無端印字ベルト１５も回転し、印字ブロック１５ａが切り替わるようになっている。
【００１５】
図に示される実施形態では、シャフト１４の両側には、リューズ２２、２３が取り付けられていて、このリューズ２２、２３は、係合筒２４と係合し、係合筒２４は両側に配設された無端印字ベルト１５と係合している。ユーザーがリューズ２２、２３を回転させると、無端印字ベルト１５も回転し、印字ブロック１５ａが切り替わるようになっている。
【００１６】
枠状部材１１の外周には、固定枠部材１６が、枠状部材１１に対してスライド自在に取り付けられている。図４に示されるように、固定枠部材１６には、上下方向に複数のスリット１６ａが形成されていて、このスリット１６ａから回転子１２の操作円板１２ａが露出している。
【００１７】
固定枠部材１６の下端には、筒状の固定印支持部材２０が取り付けられている。つまり、固定印支持部材２０は、固定印本体１０の下部の外周に配設されている。固定印支持部材２０の下端は、内側に膨出した固定印支持部２０ａが形成されている。固定印支持部２０ａには、固定印１９が取り付けられている。固定印支持部２０ａ及び固定印１９には、窓穴２０ｂ、１９ａが形成されていて、この窓穴２０ｂ、１９ａから、無端印字ベルト１５の下端にある印字ブロック１５ａが出没するようになっている。
【００１８】
把持筒１は、下側が開放した有底筒状であり、上下スライド可能に、固定枠部材１６に被套している。図３の（Ａ）に示されるように、把持筒１の内面には、上下方向に係合溝１ａが形成され、係合溝１ａの上端には、水平方向に形成された係止溝１ｂが接続している。図２の（Ｂ）や図３の（Ｂ）に示されるように、固定枠部材１６の上部には、外側に突出する係合突起１６ｂが形成されている。係合突起１６ｂは、把持筒１の内部に形成された係合溝１ａに係合している。
【００１９】
把持筒１を固定枠部材１６に対して下側にスライドさせて、把持筒１を固定枠部材１６に対して回動させると、図２の（Ｂ）に示されるように、固定枠部材１６に形成された係合突起１６が、把持筒１に形成された係止溝１ｂに係合し、把持筒１が固定枠部材１６に係止される。このため、不用意に把持筒１が回転印本体１０に対して上方にスライドすることがなく、把持筒１が、回転子１２を遮蔽している状態が維持されるので、回転印５１を押印する際に、回転子１２の操作円盤１２ａに触れることがなく、不用意に無端印字ベルト１５に形成された印字ブロック１５ａが切り替わることがない。
【００２０】
一方で、図２の（Ｂ）に示された状態から、把持筒１を固定枠部材１６に対して回動させると、把持筒１と固定枠部材１６との係止状態が解除され、把持筒１を回転印本体１０に対して上方にスライドさせることができ、複数の回転子１２の操作円盤１２ａやリューズ２２、２３が露出するので、操作円盤１２ａやリューズ２２、２３を回転させることにより、無端印字ベルト１５の印字ブロック１５ａを切り替えることができる。
【００２１】
固定枠部材１６の上方には、高さ調整部材１７が配設されている。高さ調整部材１７は、枠状部材１１の上端に取り付けられた連結部材１８に螺合している。このため、高さ調整部材１７を回転させることにより、高さ調整部材１７と固定枠部材１６との離間寸法が変化するようになっている。図３に示されるように、高さ調整部材１７と固定枠部材１６の上端との間には、コイルスプリング２１が配設されている。このコイルスプリング２１により、枠状部材１１が固定枠部材１６に対して、上方に付勢されている。図２や図３に示されるように、把持筒１の内部の上部には、内側に突出する押圧部１ｃが形成されている。図２に示されるように、把持筒１を回転印本体１０に対して下側にスライドさせると、押圧部１ｃが、高さ調整部材１７を下方に押圧し、枠状部材１１が下側に移動するので、無端印字ベルト１５の印字ブロック１５ａが、固定印１９の窓穴１９ａから突出するようになっている。高さ調整部材１７を回転させることにより、無端印字ベルト１５の印字ブロック１５ａの固定印１９の窓穴１９ａからの突出量を調整することができる。
【００２２】
キャップ２は、有底筒形状である。キャップ２の底部には、従来と同様のインキ供給部材として、インキ吸蔵体２ａが取り付けられている。キャップ２を回転印本体１０に被覆させると、図２に示されるように、固定印１９及び無端印字ベルト１５の印字ブロック１５ａが、インキ吸蔵体２ａに当接し、固定印１９及び印字ブロック１５ａにインキが供給されるようになっている。このため、押印時に印字面を朱肉やスタンプ台に押し当てる必要がない。
【００２３】
本発明では、図５に示されるように、固定印支持部材２０の内面に、前述したキャップ２の底部に取り付けられたインキ吸蔵体２ａの他に、更に、インキ供給部材としてのインキ吸蔵ローラ２５を回転可能に取り付けている。図２や図３に示されるように、インキ吸蔵ローラ２５は、無端印字ベルト１５の側方に位置している。インキ吸蔵ローラ２５表面のインキ吸蔵面２５ａには連続気泡を有する多孔体が用いられている。前記、連続気泡を有する多孔体には、ポリエチレン、ポリプロピレン、ポリ塩化ビニル、ポリ塩化ビニリデン、ポリスチレン、ポリウレタン等の合成樹脂性多孔体や、天然ゴム、ＮＢＲ、ＳＢＲ、ＥＰＤＭ等の多孔質ゴム等のインキを吸蔵することができる材質が含まれる。インキ吸蔵面２５ａには、インキが吸蔵されている。図２に示されるように、把持筒１が回転印本体１０に対して下側に位置している状態では、インキ吸蔵ローラ２５は、無端印字ベルト１５の隣接する印字ブロック１５ａ間に位置していて、印字ブロック１５ａを当接していない。
【００２４】
ユーザーが日付等を変えるために、把持筒１が回転印本体１０に対して上側に位置させると、図３に示されるように、把持筒１の押圧部１ｃの高さ調整部材１７への押圧が解除され、コイルスプリング２１の付勢力により、枠状部材１１が固定枠部材１６に対して上方に持ち上げられて、インキ吸蔵ローラ２５のインキ吸蔵面２５ａが無端印字ベルト１５の印字ブロック１５ａに側方から当接し、印字ブロック１５ａにインキが供給される。ユーザーが、操作円盤１２ａを回転させて、把持筒１を回転印本体１０に対して下方に移動させると、インキ吸蔵ローラ２５によりインキが供給された印字ブロック１５ａが、固定印１９の窓穴１９から出現し、この状態で押印しても、新しく出現した印字ブロック１５ａで押印した印影がかすれることがない。
【００２５】
前述したように、把持筒１が回転印本体１０に対して下側に位置している状態では、
インキ吸蔵ローラ２５は、無端印字ベルト１５の隣接する印字ブロック１５ａ間に位置していて、印字ブロック１５ａを当接していなので、無端印字ベルト１５の印字ブロック１５ａが、インキにより膨潤し、変形することがない。また、インキ吸蔵ローラ２５は、固定印支持部材２０に回転可能に取り付けられているので、無端印字ベルト１５の印字ブロック１５ａがインキ吸蔵ローラ２５に当接する際に、インキ吸蔵ローラ２５が回転し、印字ブロック１５ａに負担がかからず、印字ブロック１５ａが破損することがない。
【００２６】
（第２の実施形態）
図６及び図７に第２の実施形態の回転印５２の断面図を示して、以下、第１の実施形態の回転印５１と異なる点について、第２の実施形態の回転印５２を説明する。第２の実施形態では、図６や図７に示されるように、固定印支持部材２０の内面に、インキ吸蔵パット３５（インキ供給部材）を取り付けている。図６や図７に示されるように、インキ吸蔵パット３５は、無端印字ベルト１５の側方に位置している。インキ吸蔵体３５には連続気泡を有する多孔体が用いられている。前記、連続気泡を有する多孔体には、ポリエチレン、ポリプロピレン、ポリ塩化ビニル、ポリ塩化ビニリデン、ポリスチレン、ポリウレタン等の合成樹脂性多孔体や、天然ゴム、ＮＢＲ、ＳＢＲ、ＥＰＤＭ等の多孔質ゴム等のインキを吸蔵することができる材質が含まれる。インキ吸蔵体３５には、インキが吸蔵されている。図６に示されるように、把持筒１が回転印本体１０に対して下側に位置している状態では、インキ吸蔵パット３５は、無端印字ベルト１５の隣接する印字ブロック１５ａ間に位置していて、印字ブロック１５ａを当接していない。
【００２７】
ユーザーが日付等を変えるために、把持筒１が回転印本体１０に対して上側に位置させると、図７に示されるように、把持筒１の押圧部１ｃの高さ調整部材１７への押圧が解除され、コイルスプリング２１の付勢力により、枠状部材１１が固定枠部材１６に対して上方に持ち上げられて、インキ吸蔵パット３５が無端印字ベルト１５の印字ブロック１５ａに側方から当接し、印字ブロック１５ａにインキが供給される。ユーザーが、操作円盤１２ａを回転させて、把持筒１を回転印本体１０に対して下方に移動させると、インキ吸蔵パット３５によりインキが供給された印字ブロック１５ａが、固定印１９の窓穴１９から出現し、この状態で押印しても、新しく出現した印字ブロック１５ａで押印された印影がかすれることがない。
【００２８】
前述したように、把持筒１が回転印本体１０に対して下側に位置している状態では、
インキ吸蔵パット３５は、無端印字ベルト１５の隣接する印字ブロック１５ａ間に位置していて、印字ブロック１５ａを当接していなので、無端印字ベルト１５の印字ブロック１５ａが、インキにより膨潤し、変形することがない。なお、無端印字ベルト１５の印字ブロック１５ａがインキ吸蔵ローラ２５に当接する際に、印字ブロック１５ａが破損することがないように、インキ吸蔵パット３５を柔軟な材質で構成することが好ましい。
【００２９】
（総括）
なお、図に示した実施形態では、インキ吸蔵ローラ２５やインキ吸蔵パッド３５を、１つのみ回転印５１、５２に設けているが、インキ吸蔵ローラ２５やインキ吸蔵パッド３５を、無端印字ベルト１５の両側に配設しても差し支えない。
【００３０】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う回転印もまた技術的範囲に包含されるものとして理解されなければならない。       
【符号の説明】
【００３１】
１      把持筒
１ａ    係合溝
１ｂ    係止溝
１ｃ    押圧部
２      キャップ
２ａ    インキ吸蔵体
１０    回転印本体
１１    枠状部材
１２    回転子
１２ａ  操作円盤
１２ｂ  係合筒
１３    支持部材
１４    シャフト
１５    無端印字ベルト
１５ａ  印字ブロック
１６    固定枠部材
１６ａ  スリット
１６ｂ  係合突起
１７    高さ調整部材
１８    連結部材
１９    固定印
１９ａ  窓穴
２０    固定印支持部材
２０ａ  固定印支持部
２０ｂ  窓穴
２１    コイルスプリング
２２    リューズ
２３    リューズ
２４    係合筒
２５    インキ吸蔵ローラ（インキ供給部材）
２５ａ  インキ吸蔵面
３５    インキ吸蔵パッド
５１    回転印（第１の実施形態）
５２    回転印（第２の実施形態）
【図１】
2010228194.tif 000003
【図２】
2010228194.tif 000004
【図３】
2010228194.tif 000005
【図４】
2010228194.tif 000006
【図５】
2010228194.tif 000007
【図６】
2010228194.tif 000008
【図７】
2010228194.tif 000009